(57)【要約】【課題】強度や硬度を必要とするワイヤーやボーンを用いることなく、カップ部の形状をしっかりと保持すると共に、着用時に於いてもバスト部への支持性が高く、また、窮屈感や圧迫感が無く着け心地の良い、カップ付衣類を提供すること。【解決手段】バストカップ付衣類の土台部から脇部に至るバージスラインから脇に至る部分に配設される部材であって、バージスラインに沿って、少なくともバージスラインの最下部から脇側上端部に至る曲線部と、前記曲線部の脇側上端部から斜め脇下方向に向かう脇側支持部とを有し、前記曲線部と前記脇側支持部とは連続一体的に形成されており、弾性的に変形可能であることを特徴とするカップ形状保持部材、及び、それを配設したカップ付衣類。【選択図】図１
2013129929.tif 000002
【特許請求の範囲】
【請求項１】
バストカップ付衣類の土台部から脇部に至るバージスラインに配設される部材であって、
前記バージスラインに沿って、少なくとも前記バージスラインの最下部から脇側上端部に至る曲線部と、
前記曲線部の脇側上端部から斜め脇下方向に向かう脇側支持部とを有し、
前記曲線部及び前記脇側支持部は連続一体的に形成されており、弾性的に変形可能であることを特徴とする、
カップ形状保持部材。
【請求項２】
幅が５〜２０ｍｍ、厚さが５μｍ〜２ｍｍのフィルム状部材であることを特徴とする、請求項１に記載のカップ形状保持部材。
【請求項３】
樹脂製又は金属製であることを特徴とする、請求項１又は２に記載のカップ形状保持部材。
【請求項４】
前記曲線部が、前記バージスラインの前中心側上端部近傍から脇側上端部に至るように形成されていることを特徴とする、請求項１〜３のいずれか１項に記載のカップ形状保持部材。
【請求項５】
請求項１〜４のいずれか１項に記載のカップ形状保持部材が融着、溶着、接着及び／又は縫着によって配設されていることを特徴とする、カップ付衣類。
【請求項６】
カップ部と土台部とを有するブラジャーであって、
前記土台部にカップ形状保持部材が配設されており、
前記カップ形状保持部材は、前記土台部の前中心側の上端部と前記カップ部のバージスラインとの接点近傍から、バージスラインに沿って、前記土台部の脇側上端部とバージスラインとの接点近傍に至る曲線部と、
前記土台部の脇側上端部とバージスラインとの接点近傍から斜め脇下方向に向かい、前記土台部の下端との接点近傍に至る脇側支持部とを有していることを特徴とする、
請求項５に記載のカップ付衣類。
【請求項７】
前記カップ部が、ポリウレタン発泡体、不織布、又はダブルラッセルからなるシート状材料を用いて、熱成型により連続一体に形成されたカップ部であることを特徴とする、請求項５又は６に記載のカップ付衣類。
【請求項８】
前記カップ部が、２以上のパーツを組み合わせて形成されていることを特徴とする、請求項５又は６に記載のカップ付衣類。
【請求項９】
保形性のある外側部材と、外側部材よりも柔軟性の高い内側部材とが重ねられており、
前記外側部材と前記内側部材とはそれぞれ、前記カップ部と前記土台部とを熱成型により連続一体に形成した部材であり、
カップ形状保持部材が、前記外側部材と前記内側部材との間に配設されていることを特徴とする、請求項５〜８のいずれか１項に記載のカップ付衣類。
【請求項１０】
ブラジャー、ボディスーツ、ブラスリップ、ブラキャミソール、水着、カップ付トップス、又はカップ付ドレスであることを特徴とする、請求項５に記載のカップ付衣類。
【発明の詳細な説明】
【技術分野】
【０００１】
本発明はカップ付衣類に用いられるカップ形状保持部材に関し、特に、女性用下着や水着に用いられ、所望の体形を演出することができるカップ形状保持部材、及び、それを用いたカップ付衣類に関する。
【背景技術】
【０００２】
従来、ブラジャー等のカップ付衣類では、美しい外見が得られるとともに快適に着用できるように、カップ部やその周辺の保持について多くの試みがある。
例えば、ワイヤー入りのブラジャーにおいて、ワイヤーの脇側の先端部が身体へ食い込むことを防ぎ、長時間着用しても痛みが生じない、着用感の良好な乳房カップを提供することを目的として、カップ部の縁に沿わせて金属や樹脂によるカップワイヤーを設け、カップの脇側及び前中心側の縁に沿って面状に延在するアモルファス樹脂シート状片を縫製により取り付けることが行われている（特許文献１）。
しかしながら、この発明によれば、カップの前中心側や脇部の辺縁では、ワイヤーとアモルファス樹脂シートとを重ねた状態で縫着することになる。そのため、カップ最下点近傍のワイヤーのみの箇所に較べて、カップの前中心側や脇部の辺縁では、縫着箇所の厚みが増加し、着用時の違和感を拭い去ることが出来なかった。また、アモルファス樹脂シートの通気性の悪さによる蒸れなどの不快感を解消する為には、アモルファス樹脂シートの表裏面方向に貫通する複数の通気穴を設けることが必要になるなど、着用者並びに製造者にとって満足のできる状態ではなかった。
【０００３】
一方、ワイヤーを用いないブラジャーにおいて、バージスラインの脇側上端より下方で、バージスラインの下端点よりも脇側の間で、バージスラインに一端が接すると共に、背面側に向かって下方傾斜するボーンを設けることも行われている（特許文献２）。
しかしながら、バージスラインに接して設けられたボーンのみでバージスライン脇側を保持し、脇側に流れるバストを抑制するには無理があり、非伸縮性布による脇布の併用やカップワイヤーの併用、更には、カップ脇部にエラストマー樹脂を溶着することなどが必要となるという課題があった。
【０００４】
また、ワイヤーを用いないブラジャーにおいて、カップ部のバスト最下端周縁より脇側の上端縁に達し、ストラップ連結位置近傍まで延在する略Ｌ字形状の、不織布または発泡ウレタンよりなるカップ支え材を用いることも行われている（特許文献３）。
しかしながら、特許文献３の第１〜第３実施形態では、カップ部、土台部、バック部からなるブラジャーに、前中心からバージスラインの全周に沿ってストラップ付け位置までつながる成型体をとりつける形状が示されており（図１〜７）、カップと支持体と台布の一部を接合するという複雑な工程を必要とする構造となっている。また、カップ部分とカップ支え部分とを一体成型した部材を設けた第４実施例（図８）も開示されているが、カップの膨出部と土台部とはバージスラインで屈折しているものの、土台部にカップ形状を固定させる工夫は示されておらず、肌当たりの柔らかさを重視した内容となっており、バストの固定や安定性には不安が残るものである。
【先行技術文献】
【特許文献】
【０００５】
【特許文献１】特開平７−３００７０３号公報
【特許文献２】特開平１０−２９２２０８号公報
【特許文献３】特開２００３−４１４０５号公報
【発明の概要】
【発明が解決しようとする課題】
【０００６】
したがって本発明は、カップ部の形状をしっかりと保持し、着用時においてもバスト部への支持性が高いため美しい外見を演出できるとともに、むれ感や圧迫感が無く着用感の良いカップ付衣類に用いられるカップ形状保持部材を提供することを課題とする。
【課題を解決するための手段】
【０００７】
発明者らは、上記の課題を解決するために検討を重ね、従前、ブラジャー等に使用されてきたワイヤーとボーンとを一体化させ、さらにこの一体化した部材を弾性のあるフィルム状の部材で構成することで、ワイヤーとボーンの機能を併せ持ち、カップ部の形状をしっかりと保持すると共にフィット感と安定性に優れ、また、窮屈感や圧迫感の無い、付け心地の良いカップ付衣類を得ることができる新規なカップ形状保持部材に想到し、本発明を完成した。
【０００８】
すなわち、本発明は、バストカップ付衣類の土台部から脇部に至るバージスラインに配設される部材であって、前記バージスラインに沿って、少なくとも前記バージスラインの最下部から脇側上端部に至る曲線部と、前記曲線部の脇側上端部から斜め脇下方向に向かう脇側支持部とを有し、前記曲線部と前記脇側支持部とは連続一体的に形成されており、弾性的に変形可能であることを特徴とする、カップ形状保持部材に関する。曲線部は、前記バージスラインの前中心側上端部近傍から脇側上端部に至るように形成されていることがより好ましい。
【０００９】
本発明のカップ形状保持部材は、曲線部にてカップの形状や着用者のバストを支持し、脇側支持部にてバージスライン及びカップ付衣類の横への広がりを抑止することによって、バストが脇に流れることを防ぎ、フィット感に優れるとともに美しい外見を演出することができる。また、本発明のカップ形状保持部材は、曲線部と脇側支持部とが連続一体的に形成された、アルファベット小文字の「ｕ」様の形状を有する弾性部材であるため、着用時に、着用者の胴部に沿うように引っ張られると、「ｕ」字の屈曲部分、つまり、曲線部と脇側支持部との接合部分が、内方（着用者の胴体に沿う方向）に入り込むように変形する。そのため、カップのバージスラインが着用者の身体に寄り沿うように変形して、着用者の身体に沿ってバージスラインの脇側が支持され、カップやバストが脇に流れることが防止され、すっきりした美しい外見を演出することができる。
曲線部は、少なくともバージスラインの最下部から脇側上端部に至ればよいが、バージスラインの前中心側上端部近傍から脇側上端部に至るように形成されていると、バストの支持力がより向上するため、好ましい。
【００１０】
本発明のカップ形状保持部材は、幅が５〜２０ｍｍ、厚さが５μｍ〜２ｍｍのフィルム状部材であることが好ましい。また本発明のカップ形状保持部材は、樹脂製又は金属製であることが好ましい。
カップ形状保持部材が前記の形態を有する、厚みが薄く嵩の低い部材であれば、凹凸が少なくすっきりした外観のカップ付き衣類を作製することができる。また、５〜２０ｍｍという比較的細幅の部材であり、ワイヤーに比べて可撓性や柔軟性に優れるので、着用者には違和感や圧迫感が少なく、当たりや擦れによる痛みが生じることが少なく、蒸れを生じさせることも少ないので、着用感に優れたカップ付衣類を提供することができる。さらに、ワイヤーを用いるカップ付衣類では、ワイヤーを収納して他の部材と縫着するためのパイピング部材が不可欠であるところ、フィルム状部材は溶着、接着、縫着等の手段によって、他の部材に直接に固定することが可能である。つまり、カップ付衣類の製造においては、パーツの数を低減することが可能であってコスト面で優れるとともに、製造工程の簡潔さにおいても有利である。
【００１１】
また本発明は、上記のカップ形状保持部材が融着、溶着、接着及び／又は縫着によって配設されていることを特徴とするカップ付衣類に関する。カップ付衣類としては、カップ部と土台部とを有するブラジャーであって、前記土台部にカップ形状保持部材が配設されており、前記カップ形状保持部材は、前記土台部の前中心側の上端部と前記カップ部のバージスラインとの接点近傍から、バージスラインに沿って、前記土台部の脇側上端部とバージスラインとの接点近傍に至る曲線部と、前記土台部の脇側上端部とバージスラインとの接点近傍から斜め脇下方向に向かい、前記土台部の下端との接点近傍に至る脇側支持部とを有していることがより好ましい。
上記のブラジャーは、ブラジャーの土台部から脇部に至るバージスラインのほぼ全周にわたる曲線部とそれに続く脇側支持部とを有するカップ形状保持部材が配設されているため、カップ形状やバストの保持性に優れるとともに、着用者の動きに追随して、着用者の身体に沿うようにカップ保持材及びブラジャー全体が変形し、着用者には良好なバストの保持感と美しく自然な外見を与えることができる。
【００１２】
また、前記のカップ部は、ポリウレタン発泡体、不織布、又はダブルラッセルからなるシート状材料を用いて、熱成型により連続一体に形成されたカップ部であることが好ましく、或いは、２以上のパーツを組み合わせて形成されている形態も好ましい。
カップ部が熱成型によって連続一体に形成されている場合には、継ぎ目がなく、凹凸の少ないカップが得られ、カップ部のラインが外見に影響することが少ないため、ファッション性に優れる。また、２以上のパーツを組み合わせてカップ部が構成されている場合には、より複雑なラインのカップを形成したり、機能や柔軟性の異なるパーツを組み合わせたりすることが可能になるため、バストの整形性や機能性に優れたカップ付衣類を得ることができる。
【００１３】
また本発明のカップ付衣類は、保形性のある外側部材と、外側部材よりも柔軟性の高い内側部材とが重ねられており、前記外側部材と前記内側部材とはそれぞれ、前記カップ部と前記土台部とを熱成型により連続一体に形成した部材であり、カップ形状保持部材が、前記外側部材と前記内側部材との間に配設されている構成を有することが好ましい。
このような構成とすれば、保形性のある外側部材により所望の外見が得られると同時に、柔軟性の高い内側部材により着用者には柔らかい着用感を与え、快適性に優れる。またさらに、カップ形状保持部材が、外側部材と内側部材の間に配設されているため、着用者の体形や動作に追随したカップ形状保持部材の変形が、カップ付衣類全体の動きと同調し、自然な着用感と外見を得ることができる。
【００１４】
本発明のカップ形状保持部材は、特に女性用のカップ付衣類のバスト部を保持する部材として好ましく用いられ、このようなカップ付衣類としては、ブラジャー、ボディスーツ、ブラスリップ、ブラキャミソール、水着、カップ付トップス、又はカップ付ドレスであることが好ましい。
【発明の効果】
【００１５】
本発明のカップ形状保持部材は、着用時のバージスラインの横への広がりを防止し、美しく自然な体形を演出できる。また、本発明のカップ付衣類は、ワイヤーやボーン、樹脂シートや非伸縮布等を用いた場合よりも、肌へのなじみや通気性に優れることから不快感や蒸れによる問題の発生がなく、着用感に優れる。さらに、本発明によれば、カップ付衣類を構成するパーツの数を低減することが可能であり、製造方法も簡潔となるので生産性、コスト面においても優れている。
【図面の簡単な説明】
【００１６】
【図１】本発明のカップ付衣類（ブラジャー）の概要図である。
【図２】本発明のカップ形状保持部材の非着用時（実線）及び着用時（点線）の形状の変化を示した図である。図２（ａ）は正面図、図２（ｂ）は上面図である。
【図３】本発明のカップ保持部材を用いたブラジャーの断面形態を示す図である。
【図４】本発明のカップ保持部材を用いたカップ付衣類の実施例を示す図である。
【発明を実施するための形態】
【００１７】
以下、図面に基づいて、本発明によるカップ形状保持部材の好適な実施形態について詳細に説明する。なお、図面に示された実施形態は本発明の１例であって、本発明は図面に示された実施例に制限されるものではない。
【００１８】
図１は、本発明の実施形態であるカップ付衣類（ブラジャー）の概要図である。ブラジャー２は、カップ膨出部３、土台部５、ストラップ１０、バック布１１等のパーツから構成されている。カップ膨出部３および土台部５は、ポリウレタン発泡体、不織布、又はダブルラッセル等からなるシート状材料を用いて熱成形により連続一体的に形成されている。本例ではカップ膨出部３と土台部５とは連続一体的に形成されているが、それぞれ別部材として形成されていてもよく、また、ブラジャーとしての機能を有する限りにおいて、別の材料及び／又は方法によって形成されていてもよい。
【００１９】
カップ形状保持部材１は、ブラジャー２の、カップ膨出部３と土台部５の境目となるバージスライン４の、土台部５における前中心６側の上端７からバージスライン４に沿って脇部上端８に至る曲線部１’と、脇部上端８から土台部５の斜め下端部９まで延在する脇側支持部１’’とを有し、曲線部１’と脇側支持部１’’とが連続一体的に形成された部材である。カップ形状保持部材１は、土台部５の外側（表側）に配設されており、カップ形状保持部材１、カップ膨出部３及び土台部５は、表布（図示せず）によって、一体に覆われている。
【００２０】
カップ形状保持部材１は、幅５ｍｍ〜２０ｍｍ、厚さ５μｍ〜２ｍｍのフィルム状の部材とすることができる。図１の例ではカップ形状保持部材１は一定の幅を有しているが、所望の機能に応じて一部分の幅を広く（もしくは狭く）設計することも可能である。厚さについても同様であって、全長にわたって同じ厚みでもよく、一部分の厚みを大きく（もしくは小さく）設計することも可能である。カップ形状保持部材１は弾性を有し、厚さ方向には変形し易いが水平方向には変形しにくい特徴を有する。また、カップ保持形状保持部材１はＰＥＴ、ウレタン、ポリプロピレン等の熱硬化性樹脂又は熱可塑性樹脂からなる樹脂フィルム（樹脂シート）、又は、ステンレス合金等の金属フィルム（金属シート）からなり、ブラジャー２の土台部５に、融着、溶着、接着又は縫着等により配設され、固定されている。固定方法は、前記のいずれかの１つでもよいし、２つ以上を組み合わせてもよい。カップ形状保持部材１の固定は、カップ形状保持部材１の全面を融着、接着等してもよいし、一部分固定しない部分を設けてもよい。
【００２１】
カップ形状保持部材１は、カップ状衣類２の着用時には、着用者の胴回りに沿うように、つまり、前中心６から脇部に至る湾曲した平面に沿って、土台部５及びバック布１１が横方向に引っ張られて弾性的に変形するが、その復元力によってバージスライン４の横方向への広がりを抑止できる。
【００２２】
図２は、本発明のカップ形状保持部材１の非着用時（実線）及び着用時（点線）の形状の変化を示した、正面図（ａ）及び上面図（ｂ）である。非着用時（実線）には、カップ形状保持部材１は大略的にアルファベット小文字の「ｕ」様の形状であり、上面図に示されるとおり略平面状のフィルム状部材である。これに対して、着用時（点線）には、カップ形状保持部材１が着用者の胴回りに沿うように変形する。すなわち、曲線部１’は着用者の前胴から脇に至る曲面に沿うように変形し、脇側支持部１’’は脇方向（横方向）の力２０を受けて、下端部９は９’へと幅が広がる方向に変形する。同時に、カップ形状保持部材１の弾性によって復元力が生じ、幅の広がりを抑止することができる。また同時に、曲線部１’と脇側支持部１’’との接合点である脇部上端８は、脇側を内方に押し込むような状態８’に変形し、カップ部の脇押さえ効果を発揮する。
また、前記カップ形状保持部材１を土台部５の外側に融着、溶着、接着又は縫着等の手段により固定することにより、土台部５からカップ膨出部３の立ち上がり角度が変化することが防止され、美しいバストラインを保持することができる。
【００２３】
図３は本発明のカップ形状保持部材１を用いた実施形態の一例であるブラジャーの断面形態を示す図である。図３（ａ）〜（ｅ）の例では、カップ膨出部３と土台部５とが連続一体的に形成されているが、別部材であるカップ膨出部３と土台部５とを互いに縫着、接着等によって一体化するのでもよい。
図３（ａ）は、土台部５の外側にカップ形状保持部材１が固定されている。固定手段は、融着、溶着、接着又は縫着等を用いることができ、固定できれば特に制限されない（他の例も同様である）。カップ形状保持部材１、カップ膨出部３及び土台部５の表側は一体的に表布１２で覆われている。
図３（ｂ）は、カップ膨出部３及び土台部５が、二重構造を有している。二重構造の外側部材１３は保形性の高い材質からなっており、美しいバストのラインを維持することができる。二重構造の内側部材１４は、外側部材１３よりも柔軟性の高い材質で形成されており、圧迫感が少なく着用感に優れる。外側部材１３と内側部材１４とは互いに全面が融着、溶着等で固定されていてもよいし、一部分のみが固定されているのでもよい。カップ形状保持部材１は、外側部材と内側部材との間に配設されている。
図３（ｃ）は、土台部５の内側（着用者の肌側）にカップ形状保持部材１が固定されている。カップ形状保持部材１、カップ膨出部３及び土台部５の裏側は一体的に裏布１５で覆われている。
図３（ｄ）は、土台部５に設けられた表布１２の内側にカップ形状保持部材１が固定され、表布１２が土台部５に縫着されることによって、カップ形状保持部材１と土台部５とが一体化されている。
図３（ｅ）は、カップ膨出部３及び土台部５を覆う裏布１５の土台部外側に、カップ形状保持部材１が固定されている。そして、裏布１５が土台部に縫着されることによって、カップ形状保持部材１と土台部５とが一体化されている。
上記の他にも、カップ形状保持部材をカップ付衣類に固定するための構成及び手段は多様であり、カップ形状保持部材がカップ付衣類のバージスライン及び脇部に沿って固定されうる限りにおいて、特に制限されるものではない。
【００２４】
図４は、本発明のカップ形状保持部材１を用いたカップ付衣類の別の実施例を示している。
図４（ａ）は、カップ形状保持部材１を配設したストラップつきのブラジャーである。ブラジャーとしては、一般的なストラップ及びホックを有するタイプ、スポーツタイプ等にカップ形状保持部材１を配設することが可能であり、特に制限されない。
図４（ｂ）は、前中心部で左右部を連続させたカップ形状保持部材１を有する、ストラップレスブラジャーである。図４（ｂ）に示すとおり、カップ形状保持部材１は、左右のカップにわたって一体に連結されていてもよい。
図４（ｃ）は、カップ形状保持部材１を配設したカップ付インナーの実施例である。図４（ｃ）ではタンクトップの例を図示しているが、キャミソール、スリップ、ボディスーツ、袖付きインナー等、多様な形態のファンデーションに用いることができる。
図４（ｄ）は、水着に用いた例である。カップ形状保持部材１を厚みの薄いフィルム状の部材とすることで、水着やドレス等のアウターに用いる場合でも、部材の凹凸が衣類に浮き出ることが少なく、美しいバストラインを保持できると共にファッション性にも優れたカップ付衣類を提供することができる。
【００２５】
本発明のカップ形状保持部材は、特に女性用のカップ付衣類のバスト部を保持する部材として好ましく用いられ、特に、ブラジャー、ボディスーツ、ブラスリップ、ブラキャミソール等のファンデーション類や、水着、カップ付きトップス、カップ付きドレス等のアウター類に適用することができる。
【符号の説明】
【００２６】
１  カップ形状保持部材
１’  曲線部
１’’  脇側支持部
２  カップ付衣類
３  カップ膨出部
４  バージスライン
５  土台部
６  前中心
７  前中心側上端
８  脇側上端
８’  脇側上端（着用時）
９  斜め下端（脇側支持部下端）
９’  斜め下端（脇側支持部下端）（着用時）
１０  ストラップ
１１  バック布
１２  表布
１３  外側部材
１４  内側部材
１５  裏布
２０  着用時に掛かる力の方向
【図１】
2013129929.tif 000003
【図２】
2013129929.tif 000004
【図３】
2013129929.tif 000005
【図４】
2013129929.tif 000006